(57)【特許請求の範囲】
【請求項１】
床に埋込固定された配線の結線スペースを有し上面が開口したボックス部と、光源及び前記光源の制御部を内蔵し前記ボックス部の上部に取着される照明器具本体部と、前記照明器具本体部の表示部の複数箇所に設けられ前記照明器具本体部の高さを調整する複数の高さ調整ねじからなる高さ調整手段とを具備し、前記ボックス部は、上面が開口した四角アウトレックスボックスと、前記四角アウトレットボックスの上部に取着される四角スイッチカバーとで構成され、前記四角スイッチカバーは、前記四角アウトレットボックスに取着するためのフランジ部と、前記照明器具本体部の下部を挿入する開口が形成された取付部とで構成され、前記各高さ調整ねじは、先端部が前記四角スイッチカバーの前記フランジ部の上面に当接しており、頭部を回転させることによって上下方向に移動自在であることを特徴とする埋込型照明器具。
【発明の詳細な説明】
【０００１】
【発明の属する技術分野】
本発明は、埋込型照明器具に関するものである。
【０００２】
【従来の技術】
従来より、地下街、ホテル、ショッピングセンター、店舗、及び福祉施設等の各種施設において、通路床に複数個の埋込型照明器具を所定間隔離して列状に設け、この複数個の埋込型照明器具の一部を点滅して、埋込型照明器具の点滅する（隣接する埋込型照明器具を誘導方向に時々刻々点灯する）流れで誘導方向を示すような誘導システム（例えば、避難誘導システム）が知られている。
【０００３】
ところで、この種の埋込型照明器具を施工する際には、例えば図５に示すように捨てボックスあるいは仮枠にて大きめの設置スペース（設置場所）４０を確保し、埋込本体３０の底面部に設けられた複数のレベル調整ねじ３１を回転させてレベル調整ねじ３１を埋込本体３０の底面から上下方向に進退させることにより、埋込本体３０の高さ調整を適宜行う。次に埋込本体３０の周囲にコンクリートあるいはモルタル等を充填して床に固定し、床の仕上げを行うとともに、光源等を内蔵した照明器具本体部を取り付けて設置作業は完了となる。
【０００４】
【発明が解決しようとする課題】
しかしながら、上記従来構成では、埋込本体３０の周囲にコンクリートあるいはモルタル等を充填して埋込本体３０を床に固定する前に、埋込型照明器具の上面と床の仕上げ面とを同一の高さにするための高さ調整を行う必要があり、床の仕上げを行っている時や仕上げが終わった後に、高さ調整のレベルがずれていることが判明した場合、埋込型照明器具の上面と床の仕上げ面を同一の高さに調整しなおすことが非常に困難であるという問題があった。
【０００５】
本発明は上記事由に鑑みて為されたものであり、その目的は、床面との高さ調整が容易な埋込型照明器具を提供することにある。
【０００６】
【課題を解決するための手段】
請求項１の発明は、上記目的を達成するために、床に埋込固定された配線の結線スペースを有し上面が開口したボックス部と、光源及び前記光源の制御部を内蔵し前記ボックス部の上部に取着される照明器具本体部と、前記照明器具本体部の表示部の複数箇所に設けられ前記照明器具本体部の高さを調整する複数の高さ調整ねじからなる高さ調整手段とを具備し、前記ボックス部は、上面が開口した四角アウトレックスボックスと、前記四角アウトレットボックスの上部に取着される四角スイッチカバーとで構成され、前記四角スイッチカバーは、前記四角アウトレットボックスに取着するためのフランジ部と、前記照明器具本体部の下部を挿入する開口が形成された取付部とで構成され、前記各高さ調整ねじは、先端部が前記四角スイッチカバーの前記フランジ部の上面に当接しており、頭部を回転させることによって上下方向に移動自在であることを特徴とするものであり、照明器具本体部の表示部の複数箇所に設けられた複数の高さ調整ねじからなる高さ調整手段を備え、前記各高さ調整ねじが、先端部が前記四角スイッチカバーの前記フランジ部の上面に当接しており、頭部を回転させることによって上下方向に移動自在となっていることにより、床の仕上げを行った後でも高さ調整ねじを回転させるだけの簡単な操作で容易に照明器具本体部の高さ調整を行うとともに床面に対する照明器具本体部の上面の傾きを補正することができる。
【０００８】
【発明の実施の形態】
本実施形態の埋込型照明器具Ａは、図１に示すように床に埋込固定され配線用の結線スペースを有したボックス部Ｂと、冷陰極放電管よりなる光源及び前記光源の制御部を内蔵した照明器具本体部１と、照明器具本体部１の高さを調整する高さ調整手段たる高さ調整ねじ４とで構成される。
【０００９】
ここで、ボックス部Ｂは、上面が開口した角箱状であってＪＩＳ規格で規格化された既製の大型四角アウトレットボックス２と、外形が四角形状であって大型四角アウトレットボックス２の上部に取着される既製の（ＪＩＳ規格で規格化された）外形寸法の四角スイッチカバー３とで構成される。なお、四角スイッチカバー３は、大型四角アウトレットボックス２に取着するためのフランジ部３ａと、照明器具本体部１の下部を挿入する開口が形成された取付部３ｂとで構成されている。また、大型四角アウトレットボックス２には電線管接続用のノックアツト部が形成されており、施工時に必要なノックアツト部のみノックアウトするようになっている。
【００１０】
この埋込型照明器具Ａを用いて上述の誘導システムを構成する場合には、図４に示すように埋込型照明器具Ａを所定間隔ｄだけ離して列状に設置し、各埋込型照明器具Ａ，Ａ，・・・の点滅制御を行う点滅制御盤２０を別途設ける。点滅制御盤２０は、商用電源に接続されており、商用電源の通電時には商用電源から給電され商用電源の停電時には点滅制御盤２０内部に設けられた非常用電源から給電される。なお、点滅制御盤２０は、埋込型照明器具Ａへ給電する直流電圧（ＤＣ２４Ｖ）を作成する電源回路部（図示せず）を有する。
【００１１】
ところで、従来の埋込型照明器具においては施工業者が埋込型照明器具間を接続する連結用電線は施工業者が準備していたので、結線作業に手間がかかるという不具合があった。これに対し、本実施形態の埋込型照明器具Ａにおいては、照明器具本体部１に予め入力線Ｌ1 及び出力線Ｌ2 それぞれの一端が接続されており、入力線Ｌ1 及び出力線Ｌ2 それぞれの他端にはコネクタが設けてあり、出力線Ｌ2 の長さを入力線Ｌ1 の長さより長くしてあるので、出力線Ｌ2 の他端に設けられたコネクタを後述のＣＤ管５内を通して隣接された他の埋込型照明器具Ａのボックス部Ｂまで導出し他の埋込型照明器具Ａに設けられた入力線Ｌ1 の他端に設けられたコネクタと直接接続できる。ここで、施工業者は点滅制御盤２０と１つの埋込型照明器具Ａの入力線Ｌ1 とを接続するための出力線Ｌ0 のみ用意すればよい。なお、点滅制御盤２０に直接接続されていない他の埋込型照明器具Ａ，Ａ・・・は前段の埋込型照明器具Ａを介して点滅制御盤２０に接続される。このため、従来の場合に比べて、施工時の結線作業の手間を少なくでき、結線に要する時間を短縮できる。また、入力線Ｌ1 及び出力線Ｌ2 の配線長さを適宜長さにすることにより、入力線Ｌ1 及び出力線Ｌ2 等の電線での電圧降下による品質低下を防止することができる。出力線Ｌ0 ，入力線Ｌ1 ，出力線Ｌ2 は、２本の電源線（ＤＣ２４Ｖ）と、２本の信号線（ＤＣ５Ｖ）と、１本のアース線との合計５本からなる。ここで、５本の各線は線色を互いに異ならせることによって、誤結線を防止してある。
【００１２】
以下、本実施形態の埋込型照明器具Ａを床に施工する場合の手順について図１を参照しながら説明する。
まず、電線管としてのＣＤ管５を予め配管しておいて、仮枠等にて大きめの設置スペースを確保し、コンクリートを打ち込む（図１中の６は打ち込まれたコンクリートを示す）。その後、大型四角アウトレットボックス２とＣＤ管５とをボルト等にて固定し、大型四角アウトレットボックス２に四角スイッチカバー３を取り付ける。続いて、大型四角アウトレットボックス２の周囲にモルタルを充填して（図１中の７は充填されたモルタルを示す）床に固定し、床の仕上げを行うとともに、四角スイッチカバー３に照明器具本体部１を載置して照明器具本体部１の上面と床面との高さが略同じになるように高さ調整を行う。ここで、照明器具本体部１は、下部が四角スイッチカバー３の取付部３ｂの開口部に挿入され、高さ調整ねじ４の先端部が四角スイッチカバー３のフランジ部３ａに当接した状態であって、四角スイッチカバー３へ固定されていない。高さ調整は、まず照明器具本体部１の表示部１ａのねじ１１（図２参照）を取り外して表示部１ａ上面に取着されている表面カバー１ｂ（図２参照）を取り外し、高さ調整ねじ４の頭部４ａ（図３参照）の溝（すりわり）にマイナスドライバー１８等の治具の先端部１８ａを差し込んで高さ調整ねじ４を適当に回転させることによって高さ調整ねじ４を上下方向へ移動させて調整を行う。ボックス部Ｂ内での結線作業を終え、高さ調整ねじ４にて床面に対する照明器具本体部１の上面の高さを調整したら、表示部１ａに設けられた長孔１３，１３，・・・に四角スイッチカバー３への取付ねじ（図示せず）を挿通し、この取付ねじを四角スイッチカバー３のねじ穴に螺合することにより照明器具本体部１を四角スイッチカバー３へ固定する。つまり、照明器具本体部１が上方へ浮き上がらないように固定される。ところで、長孔１３，１３，・・・は、取付ねじに対して縦方向及び横方向にクリアランスを有し、照明器具本体部１の縦方向及び横方向の位置調整も行うことができるので、縦方向及び横方向の位置調整を行った後に取付ねじを固定すればよい。照明器具本体部１を四角スイッチカバー３に固定したら、最後に、床材（いわゆるＰタイルやカーペット等）８と照明器具本体部１との隙間を目地処理して施工作業は完了する。なお、図２中の１ｃは強化ガラスであって、光源の光を外へ出すためのものである。
【００１３】
しかして、本実施形態では、照明器具本体部１に設けられた高さ調整ねじ４を回転させるだけの簡単な操作で床面に対する照明器具本体部１の高さを調整することができ、床の仕上げを行った後でも容易に照明器具本体部１の高さ調整を行うことができるのである。また、高さ調整ねじ４を複数個設けてある（図３に示すように本実施形態では表示部１ａの４隅近傍に１個づつ設けてある）ので、床面に対する照明器具本体部１の上面の傾きも補正することができる。
【００１４】
【発明の効果】
請求項１の発明は、床に埋込固定された配線の結線スペースを有し上面が開口したボックス部と、光源及び前記光源の制御部を内蔵し前記ボックス部の上部に取着される照明器具本体部と、前記照明器具本体部の表示部の複数箇所に設けられ前記照明器具本体部の高さを調整する複数の高さ調整ねじからなる高さ調整手段とを具備し、前記ボックス部は、上面が開口した四角アウトレックスボックスと、前記四角アウトレットボックスの上部に取着される四角スイッチカバーとで構成され、前記四角スイッチカバーは、前記四角アウトレットボックスに取着するためのフランジ部と、前記照明器具本体部の下部を挿入する開口が形成された取付部とで構成され、前記各高さ調整ねじは、先端部が前記四角スイッチカバーの前記フランジ部の上面に当接しており、頭部を回転させることによって上下方向に移動自在であるので、照明器具本体部の表示部の複数箇所に設けられた複数の高さ調整ねじからなる高さ調整手段を備え、前記各高さ調整ねじが、先端部が前記四角スイッチカバーの前記フランジ部の上面に当接しており、頭部を回転させることによって上下方向に移動自在となっていることにより、床の仕上げを行った後でも高さ調整ねじを回転させるだけの簡単な操作で容易に照明器具本体部の高さ調整を行うとともに床面に対する照明器具本体部の上面の傾きを補正することができるという効果がある。
【図面の簡単な説明】
【図１】実施形態を示す側面図である。
【図２】照明器具本体の平面図である。
【図３】照明器具本体の表面カバーを取り外した状態の平面図である。
【図４】同上の埋込型照明器具を使用した誘導システムの概略構成図である。
【図５】従来例を示す側面図である。
【符号の説明】
１  照明器具本体部
２  大型四角アウトレットボックス
３  大型四角スイッチカバー
４  高さ調整ねじ
５  ＣＤ管
６  コンクリート
７  モルタル
８  床材
１８  マイナスドライバー
Ａ  埋込型照明器具
Ｂ  ボックス部
【図１】
0003785708.tif 000002
【図２】
0003785708.tif 000003
【図３】
0003785708.tif 000004
【図４】
0003785708.tif 000005
【図５】
0003785708.tif 000006